(57)【要約】      （修正有）【課題】レジ袋を配布し易く受け取り易い、そして、携帯し易く、且つ高い広告機能を発揮しうるレジ袋包装体を提供する。【解決手段】レジ袋包装体１は、包装体１０と、紙２０と、レジ袋３０とで構成される。包装体１０は、表面から裏面にわたってミシン目１２が形成されている。紙２０は、表面に情報が印刷される印刷面を備え、印刷面には広告表示部２４が設けられている。包装体１０は、折り畳まれたレジ袋３０を包装しているので、レジ袋３０を配布し易く受け取り易くなり、さらに、携帯し易くなる。広告表示部２４は、包装体１０の平面部側に広告情報２３を表示するので、レジ袋包装体１に広告としての価値が付く。ミシン目１２は、レジ袋３０を包装体１０から取り出すための取り出し口１７を形成する。広告表示部２４は、外部から視認可能になっている。したがって、レジ袋３０を配布し易く受け取り易い、そして、携帯し易く、且つ高い広告機能を発揮しうるレジ袋包装体１を提供することができる。【選択図】図１
0003229094.tif 000002
【実用新案登録請求の範囲】
【請求項１】
プラスチック製の袋であるレジ袋と、折り畳まれた前記レジ袋を包装する包装部と、前記包装部の平面部側に広告情報を表示する表示部と、前記レジ袋を前記包装部から取り出すための取り出し部を形成する取り出し部形成手段と、を備え、前記表示部は、外部から視認可能になっていることを特徴とするレジ袋包装体。
【請求項２】
前記包装部は、複数の前記レジ袋を重ね合わせた状態で包装しており、前記取り出し部形成手段は、前記レジ袋の重ね合わせ方向に前記取り出し部を形成することを特徴とする請求項１に記載のレジ袋包装体。
【請求項３】
前記取り出し部形成手段は、前記包装部の端部に前記取り出し部を形成することを特徴とする請求項１または２に記載のレジ袋包装体。
【請求項４】
前記取り出し部形成手段は、前記包装部の端部の一部を取り囲むように前記取り出し部を形成することを特徴とする請求項１から３のいずれかの項に記載のレジ袋包装体。
【請求項５】
前記取り出し部形成手段は、前記包装部の平面部に前記取り出し部を形成することを特徴とする請求項１または２に記載のレジ袋包装体。
【請求項６】
前記取り出し部形成手段は、前記包装部にミシン目が形成されたものであることを特徴とする請求項１から５のいずれかの項に記載のレジ袋包装体。
【請求項７】
前記表示部は、前記包装部に包装されている紙に印刷されていることを特徴とする請求項１から６のいずれかの項に記載のレジ袋包装体。
【請求項８】
前記表示部は、前記包装部に印刷されていることを特徴とする請求項１から６のいずれかの項に記載のレジ袋包装体。
【請求項９】
前記紙は、端部の一部が突出して折り返されている突出部を備えることを特徴とする請求項７に記載のレジ袋包装体。
【請求項１０】
前記突出部は、前記レジ袋の取り出しに関する情報が印刷されていることを特徴とする請求項９に記載のレジ袋包装体。
【請求項１１】
前記包装部は、少なくとも前記レジ袋が挿入される挿入口を備え、前記包装部の前記挿入口側を折り返して前記挿入口を閉じることができることを特徴とする請求項１から１０のいずれかの項に記載のレジ袋包装体。
【請求項１２】
プラスチック製の袋であるレジ袋と、折り畳まれた前記レジ袋を包装する包装部と、前記レジ袋を前記包装部から取り出すための取り出し部を形成する取り出し部形成手段と、を備えていることを特徴とするレジ袋包装体。
【考案の詳細な説明】
【技術分野】
【０００１】
本考案は、折り畳まれたレジ袋を包装したレジ袋包装体に関する。
【背景技術】
【０００２】
従来、レジ袋は、消費者がスーパーマーケットやコンビニエンスストアなどの小売店で商品を購入したときに、購入した商品を入れて持ち帰るために、会計の際に小売店から無料で提供されていた。
【考案の概要】
【考案が解決しようとする課題】
【０００３】
しかしながら、レジ袋の有料化にともない、消費者は、購入した商品を入れて持ち帰るために、有料のレジ袋を購入する必要が出てきた。
【０００４】
一方、レジ袋を購入しないようにするためには、消費者は、買い物に行く際に買物袋を持参する必要がある。しかし、予定のない買い物の際には、事前に買物袋を持参していなことがあり、その場合は、レジ袋を購入する必要がある。
【０００５】
そこで、考案者は、レジ袋を広告媒体として配布することで広告効果が上がるという新たな知見を得た。しかし、単に１枚ずつ広げてレジ袋を配布するのでは、レジ袋の配布のし易さや、受け取る側の受け取り易さ、また、携帯性などの点から十分な広告効果を上げにくいと考えた。
【０００６】
本考案は、このような事情に着目してなされたものであって、レジ袋を配布し易く受け取り易い、そして、携帯し易く、且つ高い広告機能を発揮しうるレジ袋包装体を提供することを目的とする。
【課題を解決するための手段】
【０００７】
本考案は、このような目的を達成するために、次のような構成をとる。
【０００８】
（１）  すなわち、本考案に係るレジ袋包装体は、プラスチック製の袋であるレジ袋と、折り畳まれたレジ袋を包装する包装部と、包装部の平面部側に広告情報を表示する表示部と、レジ袋を包装部から取り出すための取り出し部を形成する取り出し部形成手段と、を備え、表示部は、外部から視認可能になっていることを特徴とするものである。
【０００９】
［作用・効果］本考案によれば、レジ袋は、プラスチック製の袋なので、価格が安く、成形しやすく、薄くて軽い丈夫なレジ袋にすることができる。包装部は、折り畳まれたレジ袋を包装しているので、レジ袋を配布し易く受け取り易くなり、さらに、携帯し易くなる。表示部は、包装部の平面部側に広告情報を表示するので、レジ袋包装体に広告としての価値が付く。取り出し部形成手段は、レジ袋を包装部から取り出すための取り出し部を形成するので、買い物をした際にレジ袋を取り出して使い易くなる。表示部は、外部から視認可能になっているので、レジ袋を取り出す際に広告がみられることになる。したがって、レジ袋を配布し易く受け取り易い、そして、携帯し易く、且つ高い広告機能を発揮しうるレジ袋包装体を提供することができる。
【００１０】
（２）  また、上述のレジ袋包装体において、包装部は、複数のレジ袋を重ね合わせた状態で包装しており、取り出し部形成手段は、レジ袋の重ね合わせ方向に取り出し部を形成することになっていればより望ましい。上述の構成によれば、取り出し部形成手段によって、レジ袋の重ね合わせ方向に取り出し部が形成されるので、重ね合わせた状態で包装されたレジ袋を取り出し易い方向に取り出すことができる。
【００１１】
（３）  また、上述のレジ袋包装体において、取り出し部形成手段は、包装部の端部に取り出し部を形成することになっていればより望ましい。上述の構成によれば、取り出し部形成手段によって、包装部の端部に取り出し部が形成されるので、包装部の端部からレジ袋を取り出すことができる。
【００１２】
（４）  また、上述のレジ袋包装体において、取り出し部形成手段は、包装部の端部の一部を取り囲むように取り出し部を形成することになっていればより望ましい。上述の構成によれば、取り出し部形成手段によって、包装部の端部の一部を取り囲むように取り出し部が形成されるので、レジ袋の端部の一部が包装部から露出されてレジ袋を挟んでつかみ易くすることができる。
【００１３】
（５）  また、上述のレジ袋包装体において、取り出し部形成手段は、包装部の平面部に取り出し部を形成することになっていればより望ましい。上述の構成によれば、取り出し部形成手段によって、包装部の平面部に取り出し部が形成されるので、包装部の平面部からレジ袋を取り出すことができる。
【００１４】
（６）  また、上述のレジ袋包装体において、取り出し部形成手段は、包装部にミシン目が形成されたものであればより望ましい。上述の構成によれば、ミシン目に沿って包装部を破ることで包装部からレジ袋を容易に取り出すことができる。
【００１５】
（７）  また、上述のレジ袋包装体において、表示部は、包装部に包装されている紙に印刷されていればより望ましい。上述の構成によれば、広告情報を表示する表示部は、紙に印刷されているので、別の紙に交換することで広告情報を変更できる。
【００１６】
（８）  また、上述のレジ袋包装体において、表示部は、包装部に印刷されていればより望ましい。上述の構成によれば、表示部は、包装部に印刷されているので、広告情報がより視認し易い。
【００１７】
（９）  また、上述のレジ袋包装体において、紙は、端部の一部が突出して折り返されている突出部を備えていればより望ましい。上述の構成によれば、紙は、端部の一部が突出して折り返されている突出部を備えているので、レジ袋に突出部を引っかけることができ、紙を包装部の奥まで挿入することができる。
【００１８】
（１０）  また、上述のレジ袋包装体において、突出部は、レジ袋の取り出しに関する情報が印刷されていればより望ましい。上述の構成によれば、突出部は、レジ袋の取り出しに関する情報が印刷されているので、レジ袋の取り出し方を知らせることができる。
【００１９】
（１１）  また、上述のレジ袋包装体において、包装部は、少なくともレジ袋が挿入される挿入口を備え、包装部の挿入口側を折り返して挿入口を閉じることができればより望ましい。上述の構成によれば、容易にレジ袋を包装することができる。
【００２０】
（１２）  また、本考案に係るレジ袋包装体は、プラスチック製の袋であるレジ袋と、折り畳まれた前記レジ袋を包装する包装部と、前記レジ袋を前記包装部から取り出すための取り出し部を形成する取り出し部形成手段と、を備えていることを特徴とするものであってもよい。本考案によれば、レジ袋は、プラスチック製の袋なので、価格が安く、成形しやすく、薄くて軽い丈夫なレジ袋にすることができる。包装部は、折り畳まれたレジ袋を包装しているので、レジ袋を配布し易く受け取り易くなり、さらに、携帯し易くなるため、広告媒体として用い易くなる。取り出し部形成手段は、レジ袋を包装部から取り出すための取り出し部を形成するので、買い物をした際にレジ袋を取り出して使い易くなる。したがって、レジ袋を配布し易く受け取り易い、そして、携帯し易く、他の広告手段とともに用いられることで高い広告機能を発揮しうるレジ袋包装体を提供することができる。
【考案の効果】
【００２１】
このように、本考案のレジ袋包装体によれば、レジ袋を配布し易く受け取り易い、そして、携帯し易く、且つ高い広告機能を発揮しうるレジ袋包装体を提供することができる。
【図面の簡単な説明】
【００２２】
【図１】レジ袋包装体の表面（ａ）、裏面（ｂ）の斜視図である。
【図２】包装体の正面図（ａ）、背面図（ｂ）、左側面図（ｃ）、右側面図（ｄ）、平面図（ｅ）、底面図（ｆ）である。
【図３】紙の表面（ａ）、裏面（ｂ）である。
【図４】（ａ）〜（ｆ）は、レジ袋を折り畳んでいる様子を示す平面図である。
【図５】（ａ）〜（ｃ）は、レジ袋の重ね方の各例を示す斜視図である。
【図６】（ａ）〜（ｅ）は、紙とレジ袋を包装体で包装する様子を示す斜視図である。
【図７】（ａ）〜（ｅ）は、包装体からレジ袋が取り出される様子を示す斜視図である。
【図８】（ａ）、（ｂ）は、変形例のレジ袋包装体の斜視図である。
【考案を実施するための形態】
【００２３】
以下、本考案の実施例を図面に基づいて説明する。
【００２４】
図１を用いて、レジ袋包装体１の構成の概要を説明する。図１（ａ）は、本考案の実施例に係るレジ袋包装体１の表面を、図１（ｂ）は裏面を示す。
【００２５】
レジ袋包装体１は、包装体１０と、紙２０と、レジ袋３０とで構成されている。
【００２６】
包装体１０は、透明のプラスチック製で矩形の袋状に形成されている。包装体１０の長手方向の一方の端部側には、紙２０とレジ袋３０を挿入するための挿入口１１が設けられている。包装体１０は、挿入口１１が設けられている側の端部を裏面側に折り返すことで挿入口１１を閉じることができる。包装体１０に紙２０とレジ袋３０を挿入し、挿入口１１を閉じることで紙２０とレジ袋３０が包装される。
【００２７】
包装体１０の長手方向の他方の端部は、熱圧着されている。また、表面から裏面にわたってミシン目１２が形成されている。これにより、包装体１０をミシン目１２に沿って裂くことで包装体１０が開封され、包装体１０からレジ袋３０を取り出すことができる。ここで、本実施例のミシン目１２は、この考案の取り出し部形成手段に相当する。
【００２８】
レジ袋３０は、折り畳まれた状態で包装体１０に包装されている。
【００２９】
次に図２を用いて、包装体１０を詳しく説明する。図２は、包装体１０の正面図（ａ）、背面図（ｂ）、左側面図（ｃ）、右側面図（ｄ）、平面図（ｅ）、底面図（ｆ）の六面図を示す。
【００３０】
包装体１０の大きさは、図２（ａ）、（ｆ）に示すように、衣服のポケットに収納できるように、縦幅Ｄは、約９０ｍｍ、横幅Ｗは、約１２０ｍｍ、厚さＴは、約６ｍｍとしている。
【００３１】
包装体１０は、図２（ｂ）、（ｅ）、（ｆ）に示すように、長手方向の一方の端部側に挿入口１１が設けられ、挿入口１１を閉じるために裏面側に折り返された折り返し部１３を備える。折り返し部１３は、先端側に一重の一重部１４と、基端側に二重の二重部１５を備える。一重部１４には、折り返し部１３が折り返された状態の表面側に接着部１６が設けられ、折り返し部１３を包装体１０の裏面側に密着させている。挿入口１１は、二重部１５の先端に設けられる。
【００３２】
包装体１０には、図２（ａ）、（ｂ）、（ｃ）に示すように、包装体１０の長手方向の他方の端部側にミシン目１２が形成されている。ミシン目１２は、包装体１０の表面から裏面にわたる領域の縁に形成されている。このミシン目１２に沿って包装体１０を裂くことでレジ袋３０を取り出すための取り出し口１７が形成される。レジ袋３０が取り出せる程度に取り出し口１７が形成されたら、そこで包装体１０を裂くのをやめてもよい。全てのミシン目１２に沿って包装体１０を裂けば、包装体１０から開封片１８を取り外すことができ、レジ袋３０が取り出し易くなる。
【００３３】
取り出し口１７は、図２（ａ）に示すように、包装体１０の短手方向の縦幅Ｄｔが約５０ｍｍに形成されている。この取り出し口１７の縦幅Ｄｔの約５０ｍｍは、包装体１０の縦幅Ｄの約９０ｍｍに対して半分程度の割合を占める。本実施例では、約５５パーセントである。この割合が大きいほど包装体１０からレジ袋３０を取出し易くなるが、あまり大きくし過ぎると、レジ袋３０の素材のやわらかさによっては、レジ袋包装体１を持ち運んでいるときにレジ袋３０が包装体１０から勝手に飛び出してしまう。
【００３４】
次に図３を用いて、紙２０を詳しく説明する。図３（ａ）は紙２０の表面を、図３（ｂ）は裏面を示す。
【００３５】
紙２０は、矩形状に形成された矩形部２１と、矩形部２１の端部が半円状に突出した突出部２２を備える。矩形部２１には、包装体１０に形成されたミシン目１２に沿うようにミシン目２６が形成されている。また、紙２０は、表面に情報が印刷される印刷面２７を備える。印刷面２７の矩形部２１側には、広告表示部２４が設けられている。広告表示部２４には広告情報２３が印刷されている。広告情報２３には、店舗の新装開店の情報、催しの案内、交通安全に関する標語などがある。印刷面２７の突出部２２側には、レジ袋３０の取り出しに関する情報２５が印刷されている。取り出しに関する情報２５には、「ここからあけてね」などの開封位置を示す情報、矢印等の記号で示された開封方向を示す情報、「はがす」などの開封の動作を示す情報などがある。図１に示すように、紙２０は、突出部２２を裏面側に折り返した状態で表面を外側に向けて包装体１０に包装される。包装体１０は、透明のプラスチック製なので透過性があり、包装体１０の外側から、紙２０の表面に印刷された広告情報２３と、レジ袋３０の取り出しに関する情報２５とを見ることができる。また、紙２０の矩形部２１と裏面側に折り返した突出部２２の間には、折り畳まれたレジ袋３０が挟まれた状態で包装体１０に包装される。
【００３６】
次に図４を用いて、レジ袋３０の折り畳み方を説明する。図４は、レジ袋３０を折り畳んでいる様子を示す。
【００３７】
レジ袋３０は、持ち手３１を備えたプラスチック製のフィルムから成型された袋である。プラスチックとしては、成型が容易で生産性に優れたポリエチレン又はポリプロピレンなどの熱可塑性のある合成樹脂を使用している。フィルムの厚さは、５０マイクロメートル以上あるので、レジ袋３０は、丈夫で繰り返し使用することができる。
【００３８】
レジ袋３０は、包装体１０に包装できる大きさになるように折り畳まれる。レジ袋３０の折り畳み方は、種々の方法がある。本実施例では、次のように折り畳んでいる。図４（ａ）に示すように、レジ袋３０を持ち手３１が右側になるように置いたときに、レジ袋３０の長手方向に平行な２本の谷折り線３２、３３に沿って折り曲げる。まず、図４（ａ）のレジ袋３０を谷折り線３３に沿って谷折りする。図４（ｂ）は、図４（ａ）のレジ袋３０を谷折り線３３に沿って谷折りした状態である。次に、図４（ｂ）のレジ袋３０を谷折り線３２に沿って谷折りする。図４（ｃ）は、図４（ｂ）のレジ袋３０を谷折り線３２に沿って谷折りした状態である。
【００３９】
その後、レジ袋３０の短手方向に平行な２本の谷折り線３４、３５に沿って折り曲げる。まず、図４（ｄ）のレジ袋３０を谷折り線３４に沿って谷折りする。図４（ｅ）は、図４（ｄ）のレジ袋３０を谷折り線３４に沿って谷折りした状態である。次に、図４（ｅ）のレジ袋３０を谷折り線３５に沿って谷折りする。図４（ｆ）は、図４（ｅ）のレジ袋３０を谷折り線３５に沿って谷折りした状態である。このように折り畳むことで、持ち手３１の部分を内側にしてレジ袋３０を折り畳むことができ、包装体１０からレジ袋３０を取り出すときに、持ち手３１の部分が包装体１０に引っかかることがなくスムースに取り出すことができる。また、包装体１０に折り畳んだレジ袋３０を包装するときも持ち手３１の部分が邪魔にならずに包装できる。
【００４０】
次に図５を用いて、レジ袋３０の重ね合わせ方を説明する。図５は、レジ袋３０の重ね合わせ方の各例を示す。
【００４１】
折り畳んだレジ袋３０は種々の方法で複数枚重ね合わせられる。例えば、図５（ａ）に示すように、折り畳んだレジ袋３０の上に他の折り畳んだレジ袋３０を重ねる合わせる重ね合わせ方である。このように重ね合わせることで、包装体１０からレジ袋３０を取り出すときにレジ袋３０を１枚だけを選んでつかみ易く、レジ袋３０を１枚だけ取り出し易くなる。
【００４２】
折り畳んだレジ袋３０の重ね合わせ方としてはその他に、図５（ｂ）に示すように、図４（ｅ）に示されたレジ袋３０の谷折り線３５に沿った谷折りの間に他のレジ袋３０を内側に挟んで重ね合わせる重ね合わせ方である。このように重ね合わせると、外側にあるレジ袋３０がつかみ易く、取り出すレジ袋３０を選んでつかむ必要がない。また、包装体１０でレジ袋３０を包装するときに、紙２０の矩形部２１と裏面側に折り返した突出部２２との間に複数枚重ね合わせたレジ袋３０を挟まなくても、重ね合わせたレジ袋３０が崩れることがなく複数枚重ね合わせたレジ袋３０がバラバラにならずに包装することができる。
【００４３】
その他の重ね合わせ方として上述の２つの重ね合わせ方を組み合わせたものでもよい。図５（ｃ）に示すように、折り畳んだレジ袋３０の上に他の折り畳んだレジ袋３０を重ね合わせたものを図４（ｅ）に示されたレジ袋３０の谷折り線３５に沿った谷折りの間に挟んで重ね合わせる重ね合わせ方である。このように重ね合わせると、１枚目のレジ袋３０を取り出すときには、外側にあるレジ袋３０がつかみ易く、取り出すレジ袋３０を選んでつかむ必要がなくレジ袋３０が取り出せる。また、２枚目以降のレジ袋３０を取り出すときは、レジ袋３０を１枚だけ選んでつかみ易く、レジ袋３０を１枚だけ取り出し易くすることができる。さらに、包装体１０でレジ袋３０を包装するときも、紙２０の矩形部２１と裏面側に折り返した突出部２２の間に複数枚重ね合わせたレジ袋３０を挟まなくても、重ね合わせたレジ袋３０が崩れることがなく複数枚重ね合わせたレジ袋３０がバラバラにならずに包装することができる。
【００４４】
次に図６を用いて、紙２０とレジ袋３０の包装の仕方を説明する。図６は、紙２０とレジ袋３０を包装体１０で包装する様子を示す。
【００４５】
紙２０とレジ袋３０は、包装体１０に挿入されて包装される。まず、図６（ａ）に示すように、裏面を上にした包装体１０の折り返し部１３を開く。次に、図６（ｂ）に示すように、裏面を上にした紙２０の上に、折り畳んで複数枚重ね合わせたレジ袋３０を重ね合わせる。その後、紙２０の突出部２２を裏面側に折り返し、矩形部２１との間にレジ袋３０を挟みこむ。そして、図６（ｃ）、（ｄ）に示すように、包装体１０の折り返し部１３に設けられた挿入口１１に紙２０とレジ袋３０を重ね合わせものを挿入する。最後に、図６（ｅ）に示すように、挿入口１１を閉じるために折り返し部１３を裏面側に折り返す。接着部１６を押さえ、折り返し部１３を包装体１０の裏面側に密着させる。
【００４６】
図６には、図５（ａ）に示す重ね合わせ方で重ね合わせたレジ袋３０を記載しているが、後述する図８（ａ）、（ｂ）に示すような包装体１０でこのように重ね合わせたレジ袋３０を包装すれば、レジ袋３０の重ね合わせ方向に取り出し口１７が形成されることになる。
【００４７】
次に図７を用いて、包装体１０からレジ袋３０を取り出す取り出し方を説明する。図７は、包装体１０からレジ袋３０が取り出される様子を示す。
【００４８】
まず、図７（ａ）、（ｂ）に示すように、包装体１０に形成されたミシン目１２に沿って包装体１０を裂き、取り出し口１７を形成する。全てのミシン目１２に沿って包装体１０を裂き、包装体１０から開封片１８を取り外す。図７（ｃ）に示すように、紙２０の折り返された突出部２２を開く。図７（ｄ）、（ｅ）に示すように、包装体１０の取り出し口１７から露出したレジ袋３０を１枚つまんで引き出す。つづけてもう１枚レジ袋３０を取り出すときは、図７（ｃ）に示すように、紙２０の突出部２２が開いた状態なので、図７（ｄ）、（ｅ）に示すように、包装体１０の取り出し口１７から露出したレジ袋３０を１枚つまんで引き出す。必要な枚数のレジ袋３０を取り出し終わったら、突出部２２を折り返すことで包装体１０の取り出し口１７に封をすることができる。これにより、残ったレジ袋３０の取り出し口１７から露出した部分が紙２０に覆われて保護されるので、再び持ち運ぶときにレジ袋３０が損傷するのを防ぐことができる。
【００４９】
本実施例に記載の考案によれば、プラスチック製の袋であるレジ袋３０と、折り畳まれたレジ袋３０を包装する包装体１０と、包装体１０の平面部側に広告情報２３を表示する広告表示部２４と、レジ袋３０を包装体１０から取り出すための取り出し口１７を形成するミシン目１２と、を備え、広告表示部２４は、外部から視認可能になっていることを特徴とするものであり、レジ袋３０は、プラスチック製の袋なので、価格が安く、成形しやすく、薄くて軽い丈夫なレジ袋３０にすることができる。包装体１０は、折り畳まれたレジ袋３０を包装しているので、レジ袋３０を配布し易く受け取り易くなり、さらに、携帯し易くなる。広告表示部２４は、包装体１０の平面部側に広告情報２３を表示するので、レジ袋包装体１に広告としての価値が付く。ミシン目１２は、レジ袋３０を包装体１０から取り出すための取り出し口１７を形成するので、買い物をした際にレジ袋３０を取り出して使い易くなる。広告表示部２４は、外部から視認可能になっているので、レジ袋３０を取り出す際に広告情報２３がみられることになる。したがって、レジ袋３０を配布し易く受け取り易い、そして、携帯し易く、且つ高い広告機能を発揮しうるレジ袋包装体１を提供することができる。
【００５０】
本実施例に記載の考案によれば、包装体１０は、複数のレジ袋３０を重ね合わせた状態で包装しており、レジ袋３０の重ね合わせ方向に取り出し口１７が形成されるので、重ね合わせた状態で包装されたレジ袋３０を取り出し易い方向に取り出すことができる。
【００５１】
本実施例に記載の考案によれば、包装体１０の端部に取り出し口１７が形成されるので、包装体１０の端部からレジ袋３０を取り出すことができる。
【００５２】
本実施例に記載の考案によれば、包装体１０の端部の一部を取り囲むように取り出し口１７が形成されるので、レジ袋３０の端部の一部が包装体１０から露出されてレジ袋３０を挟んでつかみ易くすることができる。
【００５３】
本実施例に記載の考案によれば、包装体１０にミシン目１２が形成されているので、ミシン目１２に沿って包装体１０を破ることで包装体１０からレジ袋３０を容易に取り出すことができる。
【００５４】
本実施例に記載の考案によれば、広告表示部２４は、包装体１０に包装されている紙２０に印刷されているので、別の紙２０に交換することで広告情報２３を変更できる。
【００５５】
本実施例に記載の考案によれば、紙２０は、端部の一部が突出して折り返されている突出部２２を備えているので、レジ袋３０に突出部２２を引っかけることができ、紙２０を包装体１０の奥まで挿入することができる。
【００５６】
本実施例に記載の考案によれば、突出部２２は、レジ袋３０の取り出しに関する情報２５が印刷されているので、レジ袋３０の取り出し方を知らせることができる。
【００５７】
本実施例に記載の考案によれば、包装体１０は、少なくともレジ袋３０が挿入される挿入口１１を備え、包装体１０の挿入口１１側を折り返して挿入口１１を閉じることができるので、容易にレジ袋３０を包装することができる。
【００５８】
本実施例に記載の考案によれば、プラスチック製の袋であるレジ袋３０と、折り畳まれたレジ袋３０を包装する包装体１０と、レジ袋３０を包装体１０から取り出すための取り出し口１７を形成するミシン目１２と、を備えていることを特徴とするものであり、レジ袋３０は、プラスチック製の袋なので、価格が安く、成形しやすく、薄くて軽い丈夫なレジ袋３０にすることができる。包装体１０は、折り畳まれたレジ袋３０を包装しているので、レジ袋３０を配布し易く受け取り易くなり、さらに、携帯し易くなるため、広告媒体として用い易くなる。ミシン目１２は、レジ袋３０を包装体１０から取り出すための取り出し口１７を形成するので、買い物をした際にレジ袋３０を取り出して使い易くなる。したがって、レジ袋３０を配布し易く受け取り易い、そして、携帯し易く、紙２０とともに用いられることで高い広告機能を発揮しうるレジ袋包装体１を提供することができる。
【００５９】
本考案は、以下のような形態で実施することもできる。
＜１＞上記実施例では、包装体１０の長手方向の他方の端部には、表面から裏面にわたってミシン目１２が形成されているが、ミシン目１２は、表面に形成されたものであってもよい。
【００６０】
＜２＞上記実施例では、包装体１０の長手方向の他方の端部側にミシン目１２が包装体１０の表面から裏面にわたる領域の縁に形成されているが、図８（ａ）に示すように、包装体１０の平面部に直線状のミシン目１２を設けるようにしてもよい。包装体１０の平面部に取り出し口１７が形成されるので、包装体１０の平面部からレジ袋３０を取り出すことができる。
【００６１】
＜３＞上記実施例では、包装体１０の長手方向の他方の端部側にミシン目１２が包装体１０の表面から裏面にわたる領域の縁に形成され、ミシン目１２に沿って包装体１０を裂くことでレジ袋３０を取り出すための取り出し口１７が形成されるようになっているが、図８（ｂ）に示すように、あらかじめ包装体１０に取り出し口１７を設けおき、取り出し口１７を塞ぐようにシート状のものを包装体１０に貼りつけるようにしてもよい。シート状のものをはがすことで取り出し口１７が形成されるので、包装体１０からレジ袋３０を取り出すことができ、再び取り出し口１７を塞ぐようにシート状のものを貼りつけることで封をすることができる。
【００６２】
＜４＞上記実施例では、紙２０に広告表示部２４が設けられ広告情報２３が印刷され、包装体１０の外側から紙２０に印刷された広告情報２３を見ることができるようにしているが、図８（ａ）に示すように、包装体１０に広告表示部２４が設けられ広告情報２３が印刷されていてもよい。また、包装体１０にレジ袋３０の取り出しに関する情報２５が印刷されていてもよい。広告情報２３が包装体１０に印刷されているので、広告情報２３を直接視認することができる。
【００６３】
＜５＞上記実施例では、包装体１０の大きさは、衣服のポケットに収納できるように、縦幅Ｄは、約９０ｍｍ、横幅Ｗは、約１２０ｍｍ、厚さＴは、約６ｍｍとしているが、カバンに収納できるような大きさで、縦幅Ｄは、８０ｍｍ〜２１０ｍｍ、横幅Ｗは、１１０ｍｍ〜２９７ｍｍ、厚さＴは、３ｍｍ〜３０ｍｍであってもよく、さらに、この大きさに限られずこれ以上の大きさであってもこれ以下の大きさであってもよい。
【００６４】
＜６＞上記実施例では、取り出し口１７は、包装体１０の短手方向の縦幅Ｄｔが約５０ｍｍに形成されているが、この幅に限られずこれ以上であってもこれ以下であってもよい。
【００６５】
＜７＞上記実施例では、包装体１０は、透明のプラスチック製であるが、包装体１０は、有色の透明のプラスチック製であってもよい。また、透過性のないプラスチック製であってもよい。
【００６６】
＜８＞上記実施例では、包装体１０は、矩形に形成されているが、包装体１０は、矩形に限られず、円形や楕円形に形成されていてもよい。また、三角形や五角形などの多角形に形成されていてもよい。
【００６７】
＜９＞上記実施例では、包装体１０は、挿入口１１を閉じるために裏面側に折り返された折り返し部１３を備えているが、折り返し部１３を備えずに端部を熱圧着して挿入口１１を閉じたものであってもよい。
【００６８】
＜１０＞上記実施例では、レジ袋３０は、フィルムの厚さが５０マイクロメートル以上プラスチック製のフィルムから成型されているが、フィルムの厚さは、５０マイクロメートル以下であってもよい。
【００６９】
＜１１＞上記実施例では、レジ袋３０は、折り畳んだ山側から挿入口１１に挿入されていたが、反対に、折り畳んだ谷側から挿入口１１に挿入されてもよい。この場合、取り出し口１７からレジ袋３０の重なりの端がたくさん現れるので、手でつまみやすくなる。突出部２２と矩形部２１との間に折り畳んだ谷側を挟みこめば、挿入口１１への挿入もし易い。
【００７０】
＜１２＞上記実施例では、レジ袋包装体１は、広告情報２３を表示する広告表示部２４を備えているが、図８（ｂ）に示すように、広告情報２３を表示する広告表示部２４を備えたものでなくてもよい。このようなレジ袋包装体１は、他の広告手段（チラシ、パンフレットなど）に付属させることで、その広告手段の広告としての価値が高まり、高い広告機能を発揮しうる。
【符号の説明】
【００７１】
１  レジ袋包装体、１０  包装体、１１  挿入口、１２  ミシン目、１３  折り返し部、１４  一重部、１５  二重部、１６  接着部、１７  取り出し口、１８  開封片、２０  紙、２１  矩形部、２２  突出部、２３  広告情報、２４  広告表示部、２５  取り出しに関する情報、２６  ミシン目、２７  印刷面、３０  レジ袋、３１  持ち手、３２  谷折り線、３３  谷折り線、３４  谷折り線、３５  谷折り線
【図１】
0003229094.tif 000003
【図２】
0003229094.tif 000004
【図３】
0003229094.tif 000005
【図４】
0003229094.tif 000006
【図５】
0003229094.tif 000007
【図６】
0003229094.tif 000008
【図７】
0003229094.tif 000009
【図８】
0003229094.tif 000010